(57)【要約】【課題】幼児が内部に出入りして遊ぶだけでなく、外面に彩色して塗り絵で遊ぶこともできる建物型遊具を提供する。【解決手段】建物型遊具１０は、一部に開口１１ａが形成された四方を囲む高さ８０〜１２０ｃｍの側壁部１１、及び側壁部１１上に支持され、表面の少なくとも一部に彩色可能な模様１３ａが印刷された屋根部１３を備える。幼児が、側壁部１１の一部に形成された開口１１ａを介して出入りして遊ぶことができるとともに、側壁部１１上に支持される屋根部１３の表面の少なくとも一部に印刷された模様１３ａに重ねて彩色して塗り絵で遊ぶことができる。【選択図】図１
2018149043.tif 000002
【特許請求の範囲】
【請求項１】
幼児が出入りして遊戯する建物型遊具であって、
一部に開口が形成された四方を囲む高さ８０〜１２０ｃｍの側壁部と、
前記側壁上に支持され、表面の少なくとも一部に彩色可能な模様が印刷されている屋根部と、
を備えることを特徴とする建物型遊具。
【請求項２】
前記模様は、それぞれ閉曲線により囲まれた１又は複数の被彩色部と、前記閉曲線外の背景部と、を有することを特徴とする、請求項１に記載の建物型遊具。
【請求項３】
前記背景部は、背景部であることを示す印刷がされていることを特徴とする、請求項２に記載の建物型遊具。
【請求項４】
前記屋根部は紙製であることを特徴とする、請求項１〜３のいずれか一項に記載の建物型遊具。
【請求項５】
前記模様は、大豆インクを用いて印刷されていることを特徴とする、請求項１〜４のいずれか一項に記載の建物型遊具。
【発明の詳細な説明】
【技術分野】
【０００１】
本発明は、幼児が内部に出入りして遊ぶことのできる建物型遊具に関する。
【背景技術】
【０００２】
幼児が屋内で遊ぶための遊具に建物型遊具がある。例えば、特許文献１及び２には、四方を囲む側壁と切妻状の屋根とから構成され、側壁の正面に設けられた扉を開けて内部に出入りすることができる建物状の遊具が開示されている。
【先行技術文献】
【特許文献】
【０００３】
【特許文献１】意匠登録１２３４５４５号公報
【特許文献２】意匠登録１２１０９８３号公報
【発明の概要】
【発明が解決しようとする課題】
【０００４】
本発明は、幼児が内部に出入りして遊ぶだけでなく、外面に彩色して塗り絵で遊ぶこともできる建物型遊具を提供することを課題とする。
【課題を解決するための手段】
【０００５】
本発明の建物型遊具は、
幼児が出入りして遊戯する建物型遊具であって、
一部に開口が形成された四方を囲む高さ８０〜１２０ｃｍの側壁部と、
前記側壁上に支持され、表面の少なくとも一部に彩色可能な模様が印刷されている屋根部と、
を備えることを特徴とする。
【０００６】
この特徴によれば、幼児が、側壁部の一部に形成された開口を介して出入りして遊ぶことができるとともに、側壁部上に支持される屋根部の表面の少なくとも一部に印刷された模様に重ねて彩色して塗り絵で遊ぶことができる。高さ８０〜１２０ｃｍの側壁部の上に存する屋根部は、幼児が立った時の目の高さにあり、塗り絵で遊ぶに適している。
【０００７】
本発明の建物型遊具は、
前記模様は、それぞれ閉曲線により囲まれた１又は複数の被彩色部と、前記閉曲線外の背景部と、を有することを特徴とする。
【０００８】
この特徴によれば、幼児は、模様に含まれる閉曲線により囲まれた１又は複数の被彩色部を容易に理解し、そこに彩色して、塗り絵で遊ぶことができる。
【０００９】
本発明の建物型遊具は、
前記背景部は、背景部であることを示す印刷がされていることを特徴とする。
【００１０】
この特徴によれば、幼児は、背景部を区別して、被彩色部内に彩色することが確実に可能となる。作成者の意図に合わせて塗り絵を完成させることができ、美しい塗り絵を楽しむことができる。
【００１１】
本発明の建物型遊具は、
前記屋根部は紙製であることを特徴とする。
【００１２】
この特徴によれば、クレヨン、絵の具等の、幼児が通常用いる彩色具により屋根部に彩色することができる。また、製造コストを抑制することができる。
【００１３】
本発明の建物型遊具は、
前記模様は、大豆インクを用いて印刷されていることを特徴とする。
【００１４】
この特徴によれば、無害な大豆インクを用いて模様が屋根部の表面に印刷されていることで、幼児に対して安全であるとともに環境にやさしい遊具を提供することができる。
【発明の効果】
【００１５】
本発明によれば、幼児が内部に出入りして遊ぶことができるともに、屋根部に彩色して塗り絵で遊ぶこともできる建物型遊具を提供することが可能となる。
【図面の簡単な説明】
【００１６】
【図１】図１は、建物型遊具の一例を示す図である。（実施例１）
【図２】図２は、建物型遊具の一例を示す図である。（実施例２）
【発明を実施するための形態】
【００１７】
以下、本発明の実施例について説明する。
【実施例１】
【００１８】
図１に、本実施形態に係る建物型遊具１０の構成を示す。建物型遊具１０は、幼児が出入りして遊戯する建物型の遊具であり、側壁部１１、扉部１２、及び屋根部１３から構成される。
【００１９】
側壁部１１は、正面（図面手前側の一面）、左側面（左側の一面）、右側面（右側の一面）、及び背面（裏側の一面）が互いの側辺を接続して四方を囲む壁面である。側壁部１１は、十分な強度を備える段ボール等の板紙から成形される。正面は、上側に頂点を向けた五角形状を有し、中央右側に幼児が遊具内に出入り可能なラウンドトップ状の開口１１ａが形成されている。左側面は、矩形状を有し、中央上側に窓を形作るラウンドトップ状の開口１１ｂが形成されている。右側面は、左側面と同様の矩形状を有する。背面は、正面と同様の五角形状を有する。これら四面の高さ（正面及び背面については側辺の長さに等しい）は例えば８０〜１２０ｃｍであり、横幅は例えば８０〜１５０ｃｍである。
【００２０】
扉部１２は、側壁部１１の正面の開口１１ａを塞ぐ２つの戸を有する両開戸である。扉部１２は、側壁部１１と同じ素材から成形され、２つの戸の内側を開閉可能に外側を開口１１ａの両縁部に接続されている。なお、扉部１２を側壁部１１と一体成形してもよい。
【００２１】
屋根部１３は、上方を覆う切妻状の屋根である。屋根部１３は、十分な強度を備えるとともに、クレヨン、絵の具、マジック等の幼児用の彩色具により表面を彩色可能な段ボール等の板紙から成形され、その中央を山折りに折り曲げ、稜線を前後方向に向けて正面及び背面のそれぞれの上側２辺と左側面及び右側面の上辺とにより側壁部１１上に支持される。屋根部１３の左一面の中央には矩形状の開口が形成され、屋根窓１４が設けられている。
【００２２】
屋根部１３の表面の少なくとも一部には、彩色可能な複数の模様１３ａが印刷されている。図示した例では、模様１３ａは、キャンディ及び星の模様を含む。模様１３ａは、それぞれ閉曲線により囲まれた１又は複数の被彩色部１３ｂと、閉曲線外の背景部１３ｃと、を有する。ここで、閉曲線に沿って被彩色部１３ｂと背景部１３ｃとを区画する有限幅のラインが印刷されている。それにより、幼児は、模様に含まれる閉曲線により囲まれ、背景部１３ｃと区別して有限幅のラインにより区画された１又は複数の被彩色部１３ｂに彩色して、塗り絵で遊ぶことができる。
【００２３】
ここで、背景部１３ｃについて、ドット状の網掛けを印刷する、黒色に印刷する等、背景部であることが明白となるようにしてもよい。幼児は、確実に被彩色部１３ｂに彩色して、塗り絵で遊ぶことができる。
【実施例２】
【００２４】
図２に、別の建物型遊具２０の構成を示す。建物型遊具２０は、側壁部２１及び屋根部２４から構成される。
【００２５】
側壁部２１は、６つの面が互いの側辺を接続して四方を囲む壁面である。側壁部２１は、十分な強度を備える段ボール等の板紙から成形される。６つの面は底辺に対して上辺の長い台形状を有し、６つの面のうちの正面の中央に幼児が遊具内に出入り可能な矩形状の開口２１ａが形成され、６つの面のうちの右面の中央上側に円形状の開口２１ｂが形成されている。これら６つの面の高さは例えば８０〜１２０ｃｍであり、横幅は例えば４０〜８０ｃｍである。
【００２６】
側壁部２１は、内部に開口２１ａの底辺と同じ高さの床面２１ｃ、開口２１ａの底辺から手前下方に延びるスロープ２２、６つの面のうちの右側面、正面左側の左側面（不図示）、及び正面の背面側の背面（不図示）のそれぞれに三角錐状の翼２３を有する。
【００２７】
屋根部２４は、上方を覆う六角錐状の屋根である。屋根部２４は、十分な強度を備えるとともに、クレヨン、マジック等の幼児用の彩色具により表面を彩色可能な段ボール等の板紙から成形され、６つの底辺を側壁部２１の６つの上辺にそれぞれ接続して側壁部２１上に支持される。
【００２８】
屋根部２４の表面の少なくとも一部には、彩色可能な複数の模様２４ａが印刷されている。図示した例では、模様２４ａは、丸、矩形、大きな丸とその中の星の模様を含む。模様２４ａは、それぞれ閉曲線により囲まれた１又は複数の被彩色部２４ｂと、閉曲線外の背景部２４ｃと、を有する。ここで、閉曲線に沿って被彩色部２４ｂと背景部２４ｃとを区画する有限幅のラインが印刷されている。それにより、幼児は、模様に含まれる閉曲線により囲まれ、背景部２４ｃと区別して、有限幅のラインにより区画された１又は複数の被彩色部２４ｂに彩色して、塗り絵で遊ぶことができる。
【００２９】
（まとめ）
建物型遊具１０，２０では、模様１３ａ，２４ａは大豆インクを用いて印刷される。無害な大豆インクを用いて模様が屋根部の表面に印刷されていることで、幼児に対して安全であるとともに環境にやさしい遊具を提供することができる。
【００３０】
以上詳細に説明したように、建物型遊具１０，２０は、一部に開口１１ａ，２１ａが形成された四方を囲む高さ８０〜１２０ｃｍの側壁部１１，２１、及び側壁部１１，２１上に支持され、表面の少なくとも一部に彩色可能な模様１３ａ，２４ａが印刷された屋根部１３，２４を備える。幼児が、側壁部１１，２１の一部に形成された開口１１ａ，２１ａを介して出入りして遊ぶことができるとともに、側壁部１１，２１上に支持される屋根部１３，２４の表面の少なくとも一部に印刷された模様１３ａ，２４ａに重ねて彩色して塗り絵で遊ぶことができる。
【産業上の利用可能性】
【００３１】
幼児が内部に出入りして遊ぶとともに、屋根部に彩色して塗り絵で遊ぶのに好適である。
【符号の説明】
【００３２】
１０    建物型遊具
１１    側壁部
１１ａ  開口
１１ｂ  開口
１２    扉部
１３    屋根部
１３ａ  模様
１３ｂ  被彩色部
１３ｃ  背景部
１４    屋根窓
２０    建物型遊具
２１    側壁部
２１ａ  開口
２１ｂ  開口
２１ｃ  床面
２２    スロープ
２３    翼
２４    屋根部
２４ａ  模様
２４ｂ  被彩色部
２４ｃ  背景部
【図１】
2018149043.tif 000003
【図２】
2018149043.tif 000004